(57)【特許請求の範囲】
【請求項１】
車両によって箱形の栽培容器を支持し、その栽培容器の内部に、その内部を上室と下室とに仕切る多孔質の中底板を設け、その中底板上に培養土層を形成し、その培養土層に散水する散水管と車両のエアコンディショナから発生する水滴を収集して貯水する貯水タンクとを給水管で連通し、その給水管に、その貯水タンク内の貯水を給水管に送り込む給水ポンプを接続し、車両に搭載されたエンジンからの排気ガスを大気に排出する排気管に、排気ガスの一部を栽培容器の前記下室に導く排気ガス導入管を分岐し、前記下室の周壁に、その下室内のドレンを排水するドレンバルブを接続したエコロジー対策車。
【発明の詳細な説明】
【技術分野】
【０００１】
この発明は、大気の環境改善に寄与することができるエコロジー対策車に関する。
【背景技術】
【０００２】
近年、地球温暖化などの環境問題の高まりから、ＣＯ２(二酸化炭素)をはじめとする温室効果ガスの削減対策や、環境汚染の防止対策が求められている。そこで、都市部では、短い停車時においてもエンジンを停止するアイドリングストップや排ガス中の粒子状物質の大気中への排出防止対策が採られ、また、ビルの屋上を緑化する緑化対策が採られるようになってきている。
【発明の概要】
【発明が解決しようとする課題】
【０００３】
本件の発明者は、エンジン車から排出される比較的高温の排気ガスが地球の温暖化に深く関わっていること、および、緑化植物が光合成により大気中の二酸化炭素を吸収して温暖化防止に効果があることに着目し、エンジン車両において排気ガスやエアコンディショナから排出されるドレンを有効利用して大気の環境改善に寄与することができる緑化植物を育成し、同時に、排気ガスによって地球が温暖化されるのを抑制することができるようにしたエコロジー対策車を提供することを技術的課題としている。
【課題を解決するための手段】
【０００４】
上記の課題を解決するため、この発明においては、車両によって箱形の栽培容器を支持し、その栽培容器の内部に、その内部を上室と下室とに仕切る多孔質の中底板を設け、その中底板上に培養土層を形成し、その培養土層に散水する散水管と車両のエアコンディショナから発生する水滴を収集して貯水する貯水タンクとを給水管で連通し、その給水管に、その貯水タンク内の貯水を給水管に送り込む給水ポンプを接続し、車両に搭載されたエンジンからの排気ガスを大気に排出する排気管に、排気ガスの一部を栽培容器の前記下室に導く排気ガス導入管を分岐し、前記下室の周壁に、その下室内のドレンを排水するドレンバルブを接続した構成を採用したのである。
【０００５】
上記の構成からなるエコロジー対策車において、その走行時、エアコンディショナから排出されるドレンは貯水タンクに収集されて貯水される。その貯水タンク内の貯水は給水ポンプを駆動することにより散水管内に送り込まれて培養土層に向けて散水される。
【０００６】
また、エンジンからの排気ガスは排気管内に流れ、その一部の排気ガスが栽培容器の下室内に流入し、その下室内の圧力が高くなると、中底板から培養土層中を通過する。この際、排気ガスは、下室内の空気や培養土層との間で熱交換されて温度が下がり、温度低下した状態で大気に排出される。一方、培養土層は温度が高められることになる。
【０００７】
このように、給水ポンプの駆動によって貯水タンク内の貯水が散水管から培養土層に散水され、また、排気ガスの一部により培養土層が温められるため、上記培養土層において緑化植物を良好に育成することができ、その育成された緑化植物は光合成により大気中の二酸化炭素を吸収して酸素を排出するため、環境を改善することができる。
【発明の効果】
【０００８】
この発明においては、上記のように、エアコンディショナから排出される水滴や排気ガスを有効利用する状態で車両に搭載された栽培容器内で緑化植物を育成することができ、その緑化植物の光合成によって環境空気の改善を図ることができる。
【０００９】
また、エンジンから排気管内に排気される排気ガスの一部を栽培容器の下室内に導き、その栽培容器内での熱交換により温度を低下させた状態で大気に排出させるようにしたので、地球が温暖化されるのを抑制することができる。
【００１０】
さらに、植物の育成により車両が緑化され、その緑化車両の走行によって道路の環境改善にも効果を挙げることができ、根菜類等の食用植物を栽培することによって、収穫の楽しみを得ることができる。
【図面の簡単な説明】
【００１１】
【図１】この発明に係るエコロジー対策車の実施の形態を示す正面図
【図２】図１に示すエコロジー対策車の概略図
【図３】図１に示す栽培容器の縦断面図
【図４】図３のIV−IV線にそった断面図
【図５】図３のV−V線に沿った断面図
【発明を実施するための形態】
【００１２】
以下、この発明の実施の形態を図面に基づいて説明する。図１は、貨物自動車をエコロジー対策車とした例を示している。この貨物自動車は、左右一対の前輪２および後輪３を有するシャーシフレーム１の前部にドライバが乗り込むボディ４が設けられ、そのボディ４の後方に荷台５が設けられている。
【００１３】
上記のような貨物自動車においては、前輪２と後輪３との間に巻込み防止装置が設けられているが、図では省略している。
【００１４】
シャーシフレーム１の一側には、前輪２と後輪３との間にサブ荷物置台６が設けられている。図３乃至図５に示すように、サブ荷物置台６は、底板６ａの周囲に周壁６ｂを設けた角形の箱状をなしている。このサブ荷物置台６は、シャーシフレーム１に上部が固定された複数の支持アーム７により支持されており、そのサブ荷物置台６によって栽培容器１０が支持されている。
【００１５】
栽培容器１０は、矩形底板１０ａの外周に周壁１０ｂを設けた角形箱状をなし、その内部に多孔質からなる中底板１１が組み込まれている。中底板１１として、ここでは、パンチングメタル等の多孔質板１１ａの上側に網体１１ｂを設けたものを採用しているが、多孔質板１１ａのみからなるものであってもよく、あるいは、網体１１ｂのみからなるものであってもよい。
【００１６】
栽培容器１０の内部は、中底板１１の組込みによって上室１２と下室１３とに仕切られ、その上室１２内には、中底板１１上に培養土層１４が形成されている。また、上室１２内の上部には散水管１５が設けられている。散水管１５は、その長さ方向に間隔をおいて多数のノズル孔１６が形成されており、散水管１５内に送り込まれる水はノズル孔１６から培養土層１４も上面に向けて散水されるようになっている。
【００１７】
図２は、貨物自動車の動力伝達装置の概略を示しており、エンジン２１の回転をトランスミッション２２で変速し、そのトランスミッション２２から出力される回転をプロペラシャフト２３に伝達している。また、プロペラシャフト２３の回転をリアディファレンシャル２４から一対のリアアクスル２５に伝達して後輪３を回転させるようにしている。
【００１８】
ここで、エンジン２１からの排気ガスを大気に排出する排気管２６には、排気ガスを消音するマフラ２７が組み込まれ、そのマフラ２７の出口側に排気ガス導入管２８が分岐されている。
【００１９】
排気ガス導入管２８は栽培容器１０の下室１３に接続されており、排気管２６内を流れる排気ガスの一部が下室１３内に導かれるようになっている。
【００２０】
図２における２９は、エンジン２１に駆動されるエアコンディショナを示し、そのエアコンディショナ２９から発生する水滴は集水管３０から貯水タンク３１内に導かれて貯水されるようになっている。
【００２１】
貯水タンク３１と栽培容器１０の上室１２に設けられた前述の散水管１５は給水管３２で接続され、その給水管３２に給水ポンプ３３が組み込まれている。この給水ポンプ３３は、始動スイッチＳＷの操作により駆動して、貯水タンク３１内の貯水を散水管１５に送り込むようになっている。
【００２２】
図３に示すように、栽培容器１０の下室１３における周壁には、下室１３内のドレンを外部に排出するドレンバルブ３４が取付けられている。
【００２３】
実施の形態で示すエコロジー対策車は上記の構造からなり、エンジン２１の駆動による車両の走行時において、エアコンディショナ２９を作動させることによって水滴が形成され、その水滴は集水管３０から貯水タンク３１に送り込まれて貯水される。
【００２４】
そこで、給水ポンプ３３を駆動すると、貯水タンク３１内の貯水は、給水管３２から散水管１５に送り込まれてノズル孔１６から培養土層１４に向けて散水される。
【００２５】
また、エンジン２１からの排気ガスは排気管２６内に流れ、その一部の排気ガスが栽培容器１０の下室１３内に流入し、その下室１３内の圧力が高くなると、中底板１１から培養土層１４中を通過する。この際、排気ガスは、下室１３内の空気や培養土層との間で熱交換されて温度が下がり、温度低下した状態で大気に排出される。一方、培養土層１４は、排気ガスとの熱交換によって温度が高められることになる。
【００２６】
このように、給水ポンプ３３の駆動によって貯水タンク３１内の貯水が散水管１５から培養土層１４に散水され、また、下室１３内に導かれた排気ガスの一部により培養土層１４が温められるため、上記培養土層１４において緑化植物を良好に育成することができ、その育成された緑化植物は光合成により大気中の二酸化炭素を吸収して酸素を排出するため、環境改善が図られることになる。
【００２７】
また、植物の育成により車両が緑化され、その緑化車両の走行によって道路の環境改善も図られることになり、さらに、栽培容器１０において根菜類等の食用植物を栽培することにより、収穫の楽しみを得ることができる。
【００２８】
また、エンジン２１から排気管２６内に排気される排気ガスの一部は栽培容器１０の下室１３に導かれ、熱交換により低温化された状態で大気に排出されるため、地球が温暖化が抑制されることになる。
【００２９】
実施の形態では、貨物自動車をエコロジー対策車としたが、乗用車のルーフ上に支持枠を取付け、その支持枠で栽培容器１０を支持することによって、乗用車をエコロジー対策車とすることができ、エコロジー対策車は貨物自動車に限定されるものではない。
【符号の説明】
【００３０】
１０  栽培容器
１１  中底板
１２  上室
１３  下室
１４  培養土層
１５  散水管
２１  エンジン
２６  排気管
２８  排気ガス導入管
２９  エアコンディショナ
３１  貯水タンク
３２  給水管
３３  給水ポンプ
３４  ドレンバルブ
【図１】
0005222964.tif 000002
【図２】
0005222964.tif 000003
【図３】
0005222964.tif 000004
【図４】
0005222964.tif 000005
【図５】
0005222964.tif 000006